(57)【要約】      （修正有）【課題】縁起用置物として使用する以外に、招福音・幸福音を奏鳴可能にすることで興趣性、意外性等がある遊具として、また重ね飾り餅の正月飾りとして利用可能にした共鳴飾り物玩具を提供する。【解決手段】干支、招き猫、七福神、ダルマその他の縁起物の外観を模して成る飾り物玩具本体１０内部に形成した空洞部１０Ａ内に鳴子１０Ｂを収容して成り、飾り物玩具本体１０を振ったときの空洞部１０Ａ内で振動叩撃する鳴子１０Ｂによって共鳴音を奏鳴可能にする。飾り物玩具本体１０は、大小２個の餅によって２段に重ねた鏡餅１の上部に載置し、鏡餅１に被せる収納カバー体１１に形成した収納部１２に収納する。あるいは飾り物玩具本体１０は、大小２個の餅によって２段に重ねた外形を呈し、鏡餅１を収納した収納容器２の上部に載置し、収納容器２に被せる収納カバー体１１に形成した収納部１２に収納する。【選択図】図２
0003148698.tif 000002
【実用新案登録請求の範囲】
【請求項１】
干支、招き猫、七福神、ダルマその他の縁起物の外観を模して形成してある飾り物玩具であって、飾り物玩具本体内部に形成した空洞部と、該空洞部内に収容した鳴子とを備え、飾り物玩具本体を振ったときの空洞部内で振動叩撃する鳴子により共鳴音を奏鳴可能として成ることを特徴とする共鳴飾り物玩具。
【請求項２】
飾り物玩具本体は、ランナー、ゲートを介しての熱可塑性プラスチックの所定の成形法によって外形が縁起物の置き飾りとなるように形成され、前記鳴子は、成形時のランナー、ゲート中に残置される固形化した熱可塑性プラスチック材料を使用して成る請求項１記載の共鳴飾り物玩具。
【請求項３】
鳴子を収容した飾り物玩具本体は、大小２個の餅によって２段に重ねられた鏡餅の上部に載置され、鏡餅に被せられる収納カバー体に形成されている収納部に収納される請求項１または２記載の共鳴飾り物玩具。
【請求項４】
鳴子を収容した飾り物玩具本体は、大小２個の餅によって２段に重ねた外形を呈して、鏡餅を収納する収納容器の上部に載置され、収納容器に被せられる収納カバー体に形成されている収納部に収納される請求項１または２記載の共鳴飾り物玩具。
【考案の詳細な説明】
【技術分野】
【０００１】
本考案は、招福音・幸福音を発生することのできる遊具として利用可能にし、また例えば正月時期に飾る鏡餅の上部に載せる縁起物の飾り物としても利用可能にした共鳴飾り物玩具に関する。
【背景技術】
【０００２】
従来から、干支、招き猫、七福神、ダルマその他の縁起物の外観を模して形成してある飾り物自体は、単なる縁起用置物としてしか利用されず、例えば神仏に供えられたり、床の間等に置かれたりしている。
【特許文献１】特になし
【考案の開示】
【考案が解決しようとする課題】
【０００３】
しかしながら、このような従来の縁起用置物は、従前からの縁起物としての伝統を踏襲した一般的な外形を呈しているままであるから、縁起用置物として使用する以外に、例えばその使用後で遊具として利用できるようにするには物足りないものであった。
【０００４】
そこで本考案は叙上のような従来存した諸事情に鑑み創案されたもので、縁起用置物として使用する以外に、招福音・幸福音を奏鳴可能にすることで興趣性、意外性等がある遊具として利用可能にし、また重ね飾り餅の正月飾りとしての利用も可能にした共鳴飾り物玩具を提供することを目的とする。
【課題を解決するための手段】
【０００５】
上述した課題を解決するため、本考案にあっては、干支、招き猫、七福神、ダルマその他の縁起物の外観を模して形成してある飾り物玩具であって、飾り物玩具本体１０内部に形成した空洞部１０Ａと、該空洞部１０Ａ内に収容した鳴子１０Ｂとを備え、飾り物玩具本体１０を振ったときの空洞部１０Ａ内で振動叩撃する鳴子１０Ｂにより共鳴音を奏鳴可能として成るものである。
飾り物玩具本体１０は、ランナー、ゲートを介しての熱可塑性プラスチックの所定の成形法によって外形が縁起物の置き飾りとなるように形成され、前記鳴子１０Ｂは、成形時のランナー、ゲート中に残置される固形化した熱可塑性プラスチック材料を使用して成るものとできる。
鳴子１０Ｂを収容した飾り物玩具本体１０は、大小２個の餅によって２段に重ねられた鏡餅１の上部に載置され、鏡餅１に被せられる収納カバー体１１に形成されている収納部１２に収納されるものとできる。
鳴子１０Ｂを収容した飾り物玩具本体１０は、大小２個の餅によって２段に重ねた外形を呈して、鏡餅１を収納する収納容器２の上部に載置され、収納容器２に被せられる収納カバー体１１に形成されている収納部１２に収納されるものとできる。
【０００６】
以上のように構成された本考案に係る共鳴飾り物玩具にあって、例えば干支、招き猫、七福神、ダルマその他の縁起物の外観を模して形成された飾り物玩具本体１０を手に持って、これに振動を与えることで、飾り物玩具本体１０内部の空洞部１０Ａ内に収容した鳴子１０Ｂが当該空洞部１０Ａ内で振動叩撃され、これによって飾り物玩具本体１０周辺に共鳴音を奏鳴させる。
このとき、ランナー、ゲートを介しての熱可塑性プラスチックの所定の成形法によって形成された飾り物玩具本体１０の空洞部１０Ａ内で、成形時のランナー、ゲート中に残置される固形化した熱可塑性プラスチック材料による鳴子１０Ｂが振動叩撃されるから、面白い音色の共鳴音を奏鳴可能にさせ、また、材料を無駄なく使用させる。
また、飾り物玩具本体１０は、例えば正月時期に飾る鏡餅１の上部に載せる縁起物の飾り物としても利用可能にさせる。
すなわち、２段重ねの鏡餅１の上部に飾り物玩具本体１０を載置セットし、収納カバー体１１にて包覆しておくことで、縁起物による興趣性、意外性等を発揮させ、また飾り物玩具本体１０単独で遊具として、あるいは縁起用置物としても利用させる。
そして、収納カバー体１１は、飾り物玩具本体１０を収納する収納部１２を備えて、２段重ね状の鏡餅１自体あるいはその外形を呈する収納容器２に被せられることで、飾り物玩具本体１０を鏡餅１、収納容器２上部に載置セットさせ、これらの一体性を図る。
【考案の効果】
【０００７】
本考案によれば、縁起用置物として使用する以外に、招福音・幸福音を奏鳴可能にすることで興趣性、意外性等がある遊具として利用可能にし、また重ね飾り餅の正月飾りとしての利用も可能にする。
【０００８】
すなわち、これは本考案が、飾り物玩具本体１０内部に形成した空洞部１０Ａと、該空洞部１０Ａ内に収容した鳴子１０Ｂとを備え、飾り物玩具本体１０を振ったときの空洞部１０Ａ内で振動叩撃する鳴子１０Ｂにより共鳴音を奏鳴可能として成るからであり、これにより、縁起用置物を、振動により招福音・幸福音を奏鳴可能とした興趣性、意外性等のある遊具として利用することができる。
【０００９】
また、飾り物玩具本体１０は、ランナー、ゲートを介しての熱可塑性プラスチックの所定の成形法によって外形が縁起物の置き飾りとなるように形成され、前記鳴子１０Ｂは、成形時のランナー、ゲート中に残置される固形化した熱可塑性プラスチック材料を使用したので、その熱可塑性プラスチック材料を適当に破断・破砕して種々な形状となして収容することによって、様々な興趣性、意外性等のある面白い音色の共鳴音を容易に奏鳴させることができる。また、熱可塑性プラスチック素材の有効利用を図ることもでき、材料を無駄にしない。
【００１０】
そして、鳴子１０Ｂを収容した飾り物玩具本体１０は、大小２個の餅によって２段に重ねられた鏡餅１の上部に載置され、鏡餅１に被せられる収納カバー体１１に形成されている収納部１２に収納されるものとしたので、２段重ね状の外形を呈する重ね飾り餅において、これの上部に縁起物を模した飾り物玩具本体１０が載置セットされていることで、正月飾りとしての利用は勿論のこと、正月飾りとしての時期が終了し、鏡餅１自体を供食した後でも、鳴子１０Ｂが収容されている飾り物玩具本体１０で奏鳴可能な遊具として、あるいは縁起用置物として利用できる。
【００１１】
さらに、鳴子１０Ｂを収容した飾り物玩具本体１０は、大小２個の餅によって２段に重ねた外形を呈して、鏡餅１を収納する収納容器２の上部に載置され、収納容器２に被せられる収納カバー体１１に形成されている収納部１２に収納されるものとしたので、縁起物としての飾り物玩具本体１０の載置セット、一体性を図ることができ、また、同様に遊具あるいは縁起用置物等としての再利用を可能にする。
【００１２】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【考案を実施するための最良の形態】
【００１３】
以下、図面を参照して本考案を実施するための最良の一形態を説明する。図において示される符号１０は、本考案に係る共鳴飾り物玩具を構成する飾り物玩具本体である。
【００１４】
この飾り物玩具本体１０は、図１に示すように、例えばランナー、ゲートを介しての熱可塑性プラスチックの射出成形その他の所定の成形法によって外形が縁起物の置き飾りとなるように所定の形状を呈すると同時に、飾り物玩具本体１０自体を空洞・中空状に成型することでの空洞部１０Ａが形成される。そして、該空洞部１０Ａ内には空洞共鳴音を発生させる複数の鳴子１０Ｂが収容され、空洞部１０Ａの例えば下側開口部は蓋体１０Ｃを嵌め込んでから例えば超音波溶着等によって閉蓋固定されている。
【００１５】
上記した鳴子１０Ｂとしては、例えば成形時のランナー、ゲート中に残置される固形化した熱可塑性プラスチック材料のものを主として、種々な形状となるように破断、破砕等して使用する。その他、鳴子１０Ｂの材料として、例えば複数の金属片・プラスチック片等の硬質部材を使用しても良い。
【００１６】
また、飾り物玩具本体１０は、縁起用置物として例えば神仏に供えられたり、床の間等に置かれたりして使用される他に、図２に示すように、正月用の縁起用飾り物として後述する鏡餅１上部に飾られることを配慮した外観を呈するように形成されている。
【００１７】
すなわち、飾り物玩具本体１０は、例えば達磨大師として信仰されているダルマ（図１（ａ）参照）、例えばお金や財産を招くとされるとして金運招福に関係する右手白猫の招き猫（図１（ｂ）参照）、十支十二支を組み合わせて年月日に当てはめられる干支である例えば丑（図１（ｃ）参照）等、その他福の神として信仰される七福神、ダイダイの縁起物となるミカン等の縁起物の外観を模して形成してある。尚、このような縁起物の外観は、飾り物玩具本体１０の上部体更には下部体に表象されており、上述した図示例のものに限定されないことは勿論である。
【００１８】
この飾り物玩具本体１０の使用に際し、縁起用置物として例えば神仏に供えられたり、床の間等に置かれたりして使用されると同時に、これを手に持って振ったとき、空洞部１０Ａ内で鳴子１０Ｂが互いに、また空洞部１０Ａ壁に振動叩撃することにより飾り物玩具本体１０周辺に共鳴音が奏鳴されるものとしてある。
【００１９】
次に、以上のように構成された最良の形態についての使用の一例について説明する。図２に示すように、符号１は、所定径、所定高さが異なる大小２個の餅によって２段に重ねられて構成配置されている鏡餅である。図示にあって、鏡餅１は、この鏡餅１自体を取り出すときに底部開口部分が開放できるように剥離可能なシール片３によって閉塞されている硬質材製で、高さのほぼ半ば位置で形成してある括れ部４によって２段の外郭形状を呈する収納容器２内に封入されている。
【００２０】
尚、収納容器２自体は乳白色を呈するものとされ、実際の鏡餅の印象と外観的には異ならないように配慮しておく。図示を省略したが、収納容器２を使用するとき、鏡餅１自体は例えばそれぞれがパック包装された切り餅状としておくことも可能である。
【００２１】
このように鏡餅１を収納した収納容器２の上部に、本考案に係る上記した飾り物玩具本体１０内に鳴子１０Ｂを収容した共鳴飾り玩具が載置される。この飾り物玩具本体１０の収納容器２に対する載置は、飾り物玩具本体１０を収納する収納部１２が形成されていて、収納容器２に包覆連結して当該収納容器２に固定される収納カバー体１１による。この収納カバー体１１は、鏡餅１、具体的には収納容器２の少なくとも上部に包覆連結されるように、収納容器２の少なくとも上段部分に固定的に被せられる。そのため、上段部分にしっくりと嵌め合わされ、好ましくは上段部分の外周面に密着される内部空洞となっていて、収納容器２上方で飾り物玩具本体１０を収納保持する収納部１２を内部空洞に連通させて設けてある。この収納カバー体１１自体は、透明、薄肉な合成樹脂シート材にて形成されており、収納部１２においては内部収納の飾り物玩具本体１０を外観透視できるものとしてある。
【００２２】
収納カバー体１１の収納容器２に対する包覆連結時の収納カバー体１１の固定は、例えば図示のように、収納容器２における括れ部４内に強制的に嵌り込む括れ状の固定部１３によるものとし、更にこの固定部１３には必要があれば例えばゴム輪の如き弾性伸縮性に富む固定紐材１４を巻回し、しっかりと固定できるようにしてある。こうすることで、収納カバー体１１を収納容器２の上段部分に固定部１３側の開口部をやや拡開させながら上段部分外側面を滑らせることによって強制的に被せてセットでき、固定紐材１４の巻回で更に強固に固定し、また装飾を兼ねる。
【００２３】
図示を省略したが、収納カバー体１１は収納容器２の上段部分全体と下段部分上部とを包覆するように形成して収納容器２全体を包覆するようにすることも可能である。また、固定紐材１４はゴム輪とせずに、紐材によって囲繞して縛結してもよく、また縛結することでその結び目によって装飾をも可能にする。
【００２４】
そして、鏡餅１の供食後では、収納カバー体１１の収納部１２から、鳴子１０Ｂが収容されている飾り物玩具本体１０を取り出して所定の場所で縁起物として飾り、また遊具として利用する。このとき、遊具として使用する場合、飾り物玩具本体１０を手に持って振動させると、ランナー、ゲートを介しての射出成形によって形成するときの射出成形時のランナー、ゲート中に残置される固形化した熱可塑性プラスチック材料による鳴子１０Ｂが振動叩撃されるから、招福音・幸福音としての興趣性、意外性等のある非常に面白い音色となった共鳴音を周辺に与える。
【００２５】
以上の実施の形態の説明にあっては、収納容器２内に鏡餅１を収納し、収納容器２の上部に載置した飾り物玩具本体１０を収納カバー体１１によって被せ、セットする例としてある。更にはこれに代えて、図示を省略したが、２段重ね状の鏡餅１自体の上部に直接に飾り物玩具本体１０を載置し、当該飾り物玩具本体１０を収納する収納部１２を備えた収納カバー体１１を、鏡餅１の上段部分更には下段部分上部あるいは鏡餅１全体を包覆するようにして飾り物玩具本体１０を鏡餅１にセット固定しても良い。この実施の形態における収納カバー体１１の形状、構造等は先の実施の形態におけるそれと基本的に異なるところはない。
【図面の簡単な説明】
【００２６】
【図１】本考案を実施するための最良の形態を示すもので、（ａ）はダルマを模した場合の一部切欠正面図、（ｂ）は厄除け用の招き猫を模した場合の一部切欠正面図、（ｃ）は干支の一つである丑を模した場合の一部切欠正面図である。
【図２】同じく２段重ねの鏡餅の飾り物として使用した場合の一部切欠正面図である。
【符号の説明】
【００２７】
１…鏡餅                                ２…収納容器
３…シール片                            ４…括れ部
１０…飾り物玩具本体                    １０Ａ…空洞部
１０Ｂ…鳴子                            １０Ｃ…蓋体
１１…収納カバー体                      １２…収納部
１３…固定部                            １４…固定紐材
【図１】
0003148698.tif 000003
【図２】
0003148698.tif 000004